(57)【要約】  流体の流れに直接さらされる所定の形状を有する連続抵抗発熱体を含み、通路を通る流体の流れを加熱するのに用いられるヒータが提供される。前記所定の形状は、必要な熱分布、構造強度、及び、前記通路内の背圧の低減を与える断面形状を含む。前記所定の形状は、前記断面形状が必要な熱分布、構造強度、及び、前記通路内の背圧の低減を与えるとともに、翼を含めてもよい。【選択図】図１
2019510343.tif 000002
【特許請求の範囲】
【請求項１】
通路を通る流体の流れを加熱するのに用いられるヒータであって、
所定の形状を有する抵抗発熱体で、前記流体の流れに直接さらされる前記抵抗発熱体を備え、
前記所定の形状は、熱分布、構造強度、及び、前記通路内の背圧の低減を与える断面形状を含む。
【請求項２】
前記抵抗発熱体は形状記憶合金を含む、
請求項１に記載のヒータ。
【請求項３】
前記所定の形状は、対向する部分を有する複数の脚部を含み、前記対向する部分のそれぞれは、誘電体部材で分離される、
請求項１に記載のヒータ。
【請求項４】
前記誘電体部材は、ブッシング、ブロック、チューブ、及び、これらの組合せのうちの少なくとも１つを備える、
請求項３に記載のヒータ。
【請求項５】
前記誘電体部材は、前記対向する部分を横切って貫通する、
請求項３に記載のヒータ。
【請求項６】
前記対向する部分は、等間隔に配置され、前記誘電体部材は、横方向に割り当てられる、
請求項３に記載のヒータ。
【請求項７】
前記対向する部分は、半径方向に延びる様々な長さを定め、前記誘電体部材は、前記通路の中央部分に沿って垂直で、前記通路の周囲に半径方向に配置される、
請求項３に記載のヒータ。
【請求項８】
前記所定の形状は、対向する波形部分を有する蛇行波形を定め、前記波形部分は、複数の誘電体部材及び横方向支持部により分離される、
請求項３に記載のヒータ。
【請求項９】
前記所定の形状は、複数の脚を定め、前記脚のそれぞれは、多角形形状を定める、
請求項１に記載のヒータ。
【請求項１０】
前記多角形形状は、外側に延びる部分、横方向部分、及び、内側に延びる部分のセットの繰り返しを含み、前記横方向部分のそれぞれは、誘電体部材により分離される、
請求項９に記載のヒータ。
【請求項１１】
前記所定の形状は、不均一な断面を定める、
請求項３に記載のヒータ。
【請求項１２】
前記所定の形状は、翼、楕円、卵形からなるグループから選択され、前記抵抗発熱体は、前記流体の流れに直接さらされる、
請求項１に記載のヒータ。
【請求項１３】
各抵抗発熱体は、所定の形状を定め、前記抵抗発熱体は、前記流体の流れに直接さらされる、複数の抵抗発熱体と、
隣接する抵抗発熱体の間に配置された対応する複数の誘電体部材とを備え、
前記所定の形状は、熱分布、構造強度、及び、背圧の低減を与える断面形状を含む、
請求項１に記載のヒータ。
【請求項１４】
前記所定の形状は、Ｕ、Ｃ、Ｉ、Ｔ、Ｖ、Ｚ、スプライン、閉じた形状断面、及び、これらの組合せからなるグループから選択される、
請求項１３に記載のヒータ。
【請求項１５】
前記所定の形状は、内部が空洞、非円形、楕円、卵形、翼、涙形、及び、これらの組合せからなるグループから選択される閉じた形状断面を定める、
請求項１３に記載のヒータ。
【請求項１６】
前記抵抗発熱体は、直列回路、並列回路、及び、直列回路と並列回路の組合せのうちの１つで接続される、
請求項１３に記載のヒータ。
【請求項１７】
前記断面形状は、前記流体の流れに垂直、及び、前記流体の流れに対して横方向のうちの少なくとも１つに配置される、
請求項１３に記載のヒータ。
【請求項１８】
前記抵抗発熱体は、流体が前記抵抗発熱体を通り周りに流れることを可能にするサイズ及び形状の開口部を含む、
請求項１３に記載のヒータ。
【請求項１９】
前記抵抗発熱体の少なくとも１つは、流れのガイドとして動作する、
請求項１３に記載のヒータ。
【請求項２０】
前記抵抗発熱体は、前記流体通路の非線形部を通る前記流体の流れと実質的に平行に配置される、
請求項１３に記載のヒータ。
【請求項２１】
前記複数の抵抗発熱体の少なくとも１つは、前記通路の屈曲部内に配置される半円形の断面形状を定める、
請求項２０に記載のヒータ。
【請求項２２】
前記複数の抵抗発熱体及び前記誘電体部材の少なくとも１つは、前記流体の流れの混合を可能にする、
請求項１３に記載のヒータ。
【請求項２３】
前記複数の抵抗発熱体の少なくとも１つは、前記複数の抵抗発熱体をヒータ及び温度センサとして動作させることが可能な抵抗の温度係数を有する、
請求項１３に記載のヒータ。
【請求項２４】
前記抵抗発熱体の表面の少なくとも一部は、前記流体の流れの構成化合物及び成分の少なくとも１つとの化学反応を促進する触媒を含む、
請求項１３に記載のヒータ。
【請求項２５】
前記抵抗発熱体は、所定の熱の分布、その場の熱の分布、熱の動的分布、及び、これらの組合せのうちの少なくとも１つを可能にする複数の電気回路を形成する、
請求項１３に記載のヒータ。
【請求項２６】
請求項１３に記載のヒータを含む流体管であって、
前記流体管は、
内壁及び前記抵抗発熱体の間に配置された少なくとも１つの誘電体部材と、
前記ヒータへの電気接続を保護するように適合された前記流体管に取り付けられた電気ボックスで、電流スイッチングデバイス及び分散された動作システムのうちの少なくとも１つをさらに含む前記電気ボックスとを備える。
【発明の詳細な説明】
【技術分野】
【０００１】
本開示は、加熱体に関し、より詳細にはディーゼル排気ガスのような流体の流れを加熱するのに使用される加熱体に関する。
【背景技術】
【０００２】
このセクションの記述は、単に本開示に関連する背景情報を提供するだけであり、先行技術を構成しない可能性がある。
【０００３】
ディーゼルエンジンは、一般に、比較的高い窒素酸化物（ＮＯｘ）及び粒子状排気物を有する。大気／環境に有害な可能性がある、これらの排出物を低減するために、様々な装置及び方法が採用されている。例えば、ディーゼルパティキュレートフィルタ（ＤＰＦ）は、エンジンの下流で使用され、エンジン排気からの微粒子をフィルターにかける。ＤＰＦは、排気流温度を再生に適した温度に上げるために、ＤＰＦの上流のヒータを使用する能動的再生により、堆積したすすを焼き落とすことによって定期的にきれいにされる。
【０００４】
受動的再生は、能動的再生の代替であり、その点で、排気流中の酸素（通常はＯ２及びＮＯ２の形態）と堆積した粒子との間の反応が粒子の一部を酸化させる。しかしながら、受動的再生は、一般に、堆積した粒子をとてもゆっくりと除去するように生じ、従って、しばしばディーゼル用酸化触媒（ＤＯＣ）と呼ばれる触媒を使用することがある。また、ＤＯＣは、ＤＰＦの上流に配置され、排気流中のＮＯをＮＯ２に転化させることで、ＮＯ２がＤＰＦ中の粒子と反応するときに受動的再生を促進する。
【０００５】
ＮＯｘ排出を低減するために、選択的触媒還元触媒（ＳＣＲ）又はリーンＮＯｘ触媒（ＬＮＣ）のようなＮＯｘ触媒を排気流中に設けることがある。ＳＣＲ触媒は現在最も一般的であり、触媒によりＮＨ３を利用してＮＯｘ排出物をＮ２に還元する上で非常に効率的であることがある。しかしながら、これらの触媒は、一般的には、比較的高い温度で最も効率的に作用し、したがって、これらの温度に達するようにヒータが用いられてきた。
【０００６】
上述した排出物の低減を達成するために排気流に様々な形態のヒータが使用されているが、このようなヒータはエンジン性能に悪影響を及ぼし、車両全体にコストと複雑さを加えることがある。
【発明の概要】
【０００７】
一般に、本開示は、流れに直接さらされ、衝撃、振動、又は、高い流速がある用途に強度を与えるように形成された断面を有する抵抗発熱体を使用する流体流（例えば、ディーゼル排気ガスの流れ）を加熱し、コスト、サイズ、流れに伝導される熱、背圧、及び、強度／振動耐性の間のトレードオフを補償するために、ヒータ、ヒータシステム、及び、関連する方法を提供する。
【０００８】
その様々な形態において、本開示は、円形（例えば、ワイヤ）、ホイル、又は、リボン（例えば、フラット）断面を有する抵抗発熱体を使用して達成しうるものよりも高い物理的堅牢性を提供しながら、流体の流れ（例えば、ディーゼル排気ガスの流れ）を加熱するヒータ又はシステムを提供する。
【０００９】
１つの形態では、通路を通る流体の流れを加熱するために使用されるヒータが提供され、ヒータは、所定の形状を有する連続抵抗発熱体を備え、抵抗発熱体は流体の流れに直接さらされる。所定の形状は、必要な熱分布、構造強度、及び、通路内の背圧の低減を与える断面形状を含む。
【００１０】
本開示は、翼の所定の形状を定める断面形状を有する少なくとも１つの抵抗発熱体を含む通路を通る流体の流れを加熱するのに使用するヒータをさらに提供する。抵抗発熱体は流体の流れに直接さらされる。断面形状は、必要な熱分布、構造強度、及び、通路内の背圧の低減を与えるように作用可能である。
【００１１】
さらに別の形態では、本開示は、複数の抵抗発熱体を含む流体の流れを加熱するのに使用するためのヒータを提供する。各抵抗発熱体は、所定の形状を定め、流体の流れに直接さらされる。ヒータは、隣接する抵抗発熱体の間に配置された対応する複数の誘電体部材をさらに含む。所定の形状は、必要な熱分布、構造強度、及び、背圧の低減を与えるように作用可能な断面形状を含めてもよい。
【００１２】
さらに別の形態では、１つの上述のヒータを含む流体管を提供し、流体管は、内壁、内壁と抵抗発熱体との間に配置された少なくとも１つの誘電体部材、及び、ヒータへの電気接続を保護するように適合された流体管に取り付けられた電気ボックスを備え、電気ボックスは、電流スイッチングデバイス及び分散された動作システムのうち少なくとも１つをさらに含む。
【００１３】
適用性のさらなる領域は、ここで提供される説明から明らかになる。説明及び具体例は、例示のみを目的としており、本開示の範囲を限定することを意図していないことを理解されたい。
【図面の簡単な説明】
【００１４】
本開示が十分に理解されるように、以下の添付の図面を参照しながら、例として与えられたその様々な形態について説明する。  
【図１】図１は、本開示の教示に従って構成され、流体の流れを加熱するのに使用されるヒータの一形態の斜視図である。
【図２】図２は、図１のヒータの流体の流れの方向に垂直な正面図である。
【図３】図３は、本開示の教示に従って構成され、流体の流れを加熱するのに使用されるヒータの別の形態の斜視図である。
【図４】図４は、図３のヒータの流体の流れの方向に垂直な正面図である。
【図５】図５は、本開示の教示に従って構成され、流体の流れを加熱するのに使用されるヒータの別の形態の斜視図である。
【図６】図６は、図５のヒータの流体の流れの方向に垂直な正面図で９０度回転させたものである。
【図７】図７は、図５及び図６のヒータの側面図である。
【図８】図８は、本開示の教示に従って構成され、流体の流れを加熱するのに使用されるヒータの別の形態の斜視図である。
【図９】図９は、図８のヒータの流体の流れの方向に垂直な正面図である。
【図１０】図１０は、図８のヒータの側面図である。
【図１１】図１１は、図８のヒータの上面図である。
【図１２】図１２は、本開示の教示に従って構成され、連続抵抗発熱体の１つの形態及び誘電体部材へのその取り付けを示す斜視図である。
【図１３】図１３は、図１２の抵抗発熱体の流体の流れの方向に垂直な正面図である。
【図１４】図１４は、図１２の抵抗発熱体及び誘電体部材の側面図である。
【図１５】図１５は、本開示の教示に従って構成され、誘電体ブロックによって分離され、多角形形状を有する連続抵抗発熱体の別の形態の斜視図である。
【図１６】図１６は、図１５の連続抵抗発熱体の誘電体ブロックが無い斜視図である。
【図１７】図１７は、本開示の教示に従って構成され、機械的留め具を使用して誘電体ブロックに固定された多角形形状抵抗発熱体の一形態の拡大部分図である。
【図１８】図１８は、本開示の教示に従って構成され、誘電体ブロック内に形成された留め具空洞を示す図１７の裏側からの別の拡大部分図である。
【図１９Ａ】図１９Ａは、本開示の教示に従って構成され、翼形状を有する抵抗発熱体の側面図である。
【図１９Ｂ】図１９Ｂは、図１９Ａの抵抗発熱体のための代替翼形状の側面図である。
【図２０Ａ】図２０Ａは、本開示の教示に従って構成され、複数の連続抵抗発熱体及び対応する誘電体スペーサ／部材の様々な形態を示す流体の流れの方向に垂直な正面図である。
【図２０Ｂ】図２０Ｂは、本開示の教示に従って構成され、複数の連続抵抗発熱体及び対応する誘電体スペーサ／部材の様々な形態を示す流体の流れの方向に垂直な正面図である。
【図２０Ｃ】図２０Ｃは、本開示の教示に従って構成され、複数の連続抵抗発熱体及び対応する誘電体スペーサ／部材の様々な形態を示す流体の流れの方向に垂直な正面図である。
【図２０Ｄ】図２０Ｄは、本開示の教示に従って構成され、複数の連続抵抗発熱体及び対応する誘電体スペーサ／部材の様々な形態を示す流体の流れの方向に垂直な正面図である。
【図２１Ａ】図２１Ａは、本開示の教示に従って構成され、流れのディフューザとしてヒータ兼用の一形態を示す概略図である。
【図２１Ｂ】図２１Ｂは、本開示の教示に従って構成され、流れのディフューザとしてヒータ兼用の一形態を示す概略図である。
【図２２Ａ】図２２Ａは、本開示の教示に従って構成され、流れのディフューザとしてヒータ兼用の他の形態を示す概略図である。
【図２２Ｂ】図２２Ｂは、本開示の教示に従って構成され、流れのディフューザとしてヒータ兼用の他の形態を示す概略図である。    ここに記載された図面は、説明目的のためのみであり、決して本開示の範囲を限定するものではない。
【発明を実施するための形態】
【００１５】
以下の説明は、事実上単に例示的なものであり、本開示、用途、又は、使用を限定するものではない。図面を通して、対応する参照符号は、同様の又は対応する部分及び特徴を示すことを理解されたい。
【００１６】
図１から図７を参照すると、通路１０を通る流体の流れを加熱するためのヒータが示されており、参照符号２０で示されている。一般に、ヒータ２０は、所定の形状（多くの種類が以下に詳細に図示され、説明される）を有する連続抵抗発熱体３０を含み、抵抗発熱体３０は流体の流れＦに直接さらされ、即ち抵抗発熱体３０を取り囲む断熱材又は覆いは無い。所定の形状は、必要な熱分布、構造強度、及び、通路内の背圧の低減を与える断面形状を含む。
【００１７】
より具体的には、図１から図４に示すように、一形態の所定の形状は、２つの脚部４０，４１を含み、各脚部は、対向する部分４２，４４で示されるような蛇行形状を有する。対向する各部分４２，４４は、それらの間に必要な誘電体の間隔を与えるために、誘電体部材４６によって分離されている。また、連続抵抗発熱体３０は、電源及び／又はコントローラ（図示せず）に接続するための末端部分４８及び５０を含む。
【００１８】
さらに、図１及び図２に示すように、一形態の誘電体部材４６はブッシングである。ブッシング４６は、対向する部分４２，４４の間に配置され、それらを横切って貫通する。さらに、ブッシング４６は、図示のようにその中心を貫通する横方向部材５２によって支持されている。
【００１９】
同様の構成が図３及び図４に示され、対向する部分４２，４４は、チューブ６０の形態内で誘電体部材によって分離されている。チューブ６０は、前の形態と同様に横方向支持部材５２を同様に有する。さらに、連続抵抗発熱体３０は、誘電体部材４６／６０及びその支持部材５２が貫通する開口部６２を含む。
【００２０】
対向する部分４２，４４は、等間隔に配置され、誘電体部材４６／６０は横方向に割り当てられるが、本開示の範囲内でありながら、連続抵抗発熱体３０及び誘電体部材４６／６０のそれぞれのための代替の間隔及び位置を提供することができることを理解されたい。
【００２１】
１つの形態では、誘電体部材４６／６０（セラミックである）は、連続抵抗発熱体３０に活性ろう付けされる。さらに、ろう付けは、例えば、とりわけ、アルミナ、Ｍｏ−Ｍｎ、Ｎｉめっき、又は、銅ろう付けを含めてもよい。しかし、本開示の範囲内でありながら、機械的留め具又は接着などの他の種類の結合を採用してもよいことを理解されたい。このような結合は、以降の同様の様々な設計選択に適用されることを理解されたい。
【００２２】
図５から図７を参照すると、連続抵抗発熱体の別の形態が示されており、参照符号７０で示されている。この形態では、連続抵抗発熱体７０は、示されるような蛇行波形である所定の形状を有する。対向する波形部分７２，７４は、誘電体部材７６及び横方向支持部７８によって同様に分離されている。さらに示されるように、波形部分７２，７４は、追加の誘電体部材７６及び横方向支持部７８を容易にでき、及び／又は代替流れ特性に対して軽量構造を提供する開口部８０（図７に最もよく示されている）を含む。
【００２３】
図８から図１１は、連続抵抗発熱体のさらに別の形態を示しており、参照符号９０で示されている。連続抵抗発熱体９０は、半径方向に延びる様々な長さを有する対向する部分９２，９４を含み、誘電体ブッシング９６（又は部材）は、図示されるように、通路の中央部分に沿って垂直に、通路の外周の周囲に半径方向に（９７）配置される。この形態では、連続抵抗発熱体９０は、誘電体ブッシング９６／９７の周りに、より具体的には、図示されるように、縮小された直径部分の周りに巻かれている。図１０及び図１１に示すように、各々の脚部９８及び９９は軸方向に互い違いに配置され、中央の誘電体ブッシング９６は軸方向に一列に並べられ又は互いに接続されている。
【００２４】
図１２から１４を参照すると、様々な距離の対向する部分のさらに別の形態が連続抵抗発熱体１００に示されている。対向する部分１０４／１０６は、誘電体部材／ブッシング１０２の周りに巻かれるのではなく、末端として、又は、システム内で追加の加熱回路への接続のために、使用することができる端部タブ１０８を含む。図１４に示すように、対向する部分１０４／１０６は、例えば、通路内の背圧を低減して必要な加熱を提供するように軸方向に互い違いに配置される。
【００２５】
図１５及び図１６に移り、連続抵抗発熱体のさらに別の形態が示され、参照符号１２０で示されている。連続抵抗発熱体１２０は、複数の脚１２２を含む所定の形状を有し、各々の脚は、多角形形状を有する。この形態では、多角形形状は、外側に延びる部分１２４、横方向部分１２６、及び、内側に延びる部分１２８のセットの繰り返しを含み、各々の横方向部分１２６は、この代替設計におけるブロックの形態をした誘電体部材１３０によって分離されている。
【００２６】
図１７及び図１８に示すように、誘電体部材１３０は、横方向部分１２６を誘電体部材に固定するための機械的留め具１３４を収容するための凹部１３２を含む。機械的留め具１３４は単なる例示であり、連続抵抗発熱体１２０と誘電体部材１３０との間の接続の形式を限定するものとして解釈されるべきではないことを理解されたい。例えば、上述したような活性ろう付けも、本開示の範囲内にありながら採用することができる。
【００２７】
図１９Ａから図１９Ｂを参照すると、通路を通る流体の流れを加熱するために使用されるヒータの別の形態は、翼１５０の所定の形状を有する少なくとも1つの抵抗発熱体を含む。翼１５０は、内部が空洞でもよく、通路内の流れ要件に従って翼の形状を変えるように形状記憶合金にしてもよい。複数の翼１５０は、区域全体に、又は、通路に沿った複数の軸方向の配置で採用されてもよいし、又は、単一の翼１５０が通路の全体の幅にわたって延びてもよい。さらに、様々なタイプの翼が使用されてもよく、特に、例えば、異なるＮＡＣＡ（全米航空諮問委員会）コンフィグレーション、低キャンバー、深いキャンバー、対称、又は、超音速を含む。翼形状の例が１９Ｂに示される。通常、翼形状１５０は、流体の流れに必要な加熱プロファイルを与えながら、背圧を低減することを意図している。
【００２８】
別の形態では、ヒータの断面形状は、不均一であるか、又は、回路の一部の領域で高剛性かつ改良された熱伝導が提供され、他の領域での成形性が改善されるような断面変化をする。
【００２９】
図２０Ａから図２０Ｃを参照すると、複数の連続抵抗発熱体１７０を通常備える流体の流れを加熱するために使用するための更なる形態のヒータが示され、各抵抗発熱体１７０は、所定の形状を有し、抵抗発熱体１７０は、流体の流れに直接さらされ、対応する複数の誘電体スペーサ１７２は、隣接する抵抗体１７０の間に配置され、所定の形状は、必要な熱分布、構造強度、及び、背圧の低減を与える断面形状を含む。ここでは、明確にするために、発熱体１７０及び誘電体スペーサ１７２の部分的な構成のみを示しており、したがって、特定の構成は、流体通路／流体管の全領域にわたって変化することを理解されたい。一つの形態では、複数の抵抗発熱体及び誘電体部材のうちの少なくとも１つは、流体の流れの混合を可能にする。
【００３０】
所定の形状は、例えば、図２０Ａに示す「Ｍ」、図２０Ｂに示す「Ｚ」、又は、図２０Ｃに示す「Ｏ」でもよい。所定の形状は、「Ｕ」、「Ｃ」、「Ｉ」、「Ｔ」、「Ｖ」、スプライン、及び／又は、閉じた形状断面のその他の典型的形状に加えて、これらのいずれか１つ又はその組合せでもよい。閉じた形状は、中が空洞でもよく、及び／又は、楕円、卵形、又は涙形（図示せず）などのような、図２０Ｄに示す非円形でもよい。
【００３１】
抵抗発熱体１７０は、直列回路又は直列回路と並列回路の組合せのうち１つで接続されてもよい。
【００３２】
断面形状は、本開示の範囲内にあるが、図示のように流体の流れに垂直に配置されてもよいし、又は、流体の流れに対して横切る位置、又は、その他の向き及び／又はそれらの組合せで配置されてもよい。
【００３３】
上記の配置のように、抵抗発熱体１７０は、流体が抵抗発熱体１７０の周りを通り抜けて流れるように、流体が通り抜けて流れることのできる開口部を含めてもよい。
【００３４】
図２０Ｄに示すように、流体管１０は、内壁と、抵抗発熱体１７０の間に配置された少なくとも１つの誘電体材料１７２とを有することが示されている。流体管は、ヒータへの電気接続を保護するために、そこに取り付けられた電気ボックス１８２を含めてもよい。電気ボックス１８２は、本開示の一形態における電流スイッチングデバイスをさらに備える。別の形態では、電気ボックス１８２は、米国特許第７，６２７，４５５号に開示されているような分散動作システムをさらに含み、これは本出願と同一出願人に譲渡され、その内容は参照により本明細書にそっくりそのまま組み込まれる。また、所定の形状に対する流れは、本開示の範囲内にあるが、所定の形状に沿って、クロスフロー、又は、所定の形状に対する他の任意の方向の流れでもよいことを理解されたい。
【００３５】
図２１Ａ−Ｂ及び図２２Ａ−Ｂを参照すると、所定の形状を有し、流体の流れに直接さらされる二重目的の抵抗発熱体は、流れのガイドとしても機能し、参照符号２００で図解及び図示される。図２１Ａに示すように、曲がり部（例えば９０°の屈曲）又は非線形部の周りを流れる流体は、図示されたように、流体通路又は導管の壁から分離する傾向がある。１つの形態において、二重目的の抵抗発熱体２００は、図２１Ｂに示すようにガイド羽根として使用され、そこでは、抵抗発熱体２００は、流体の流れの方向と実質的に平行に配置され、この形態の半円形状を定める。同様に、図２２Ａでは、流体の流れはディフューザを通って分離する傾向がある。図２２Ｂに示すように、抵抗発熱体２００は、ガイドの役割を果たすために、ディフューザ又は導管の増加する断面積を通る流体の流れの方向と実質的に平行に配置される。この二重目的の抵抗発熱体２００は、本開示の範囲内にあるが、流体通路又は流体管の任意の断面積に採用してもよいことを理解されたい。例えば、抵抗発熱体２００は、導管の減少する断面積を通る流体の流れの方向に実質的に平行に配置されてもよい。
【００３６】
本開示の別の形態では、ここで開示される任意の抵抗発熱体、及び／又は、誘電体スペーサ／部材は、流体の流れが混ざるように構成されてもよい。
【００３７】
さらに別の形態では、抵抗発熱体の少なくとも１つは、抵抗発熱体がヒータと温度センサとして機能するように抵抗の温度係数を有する。そのような加熱システムは、米国特許第７，１９６，２９５号に開示されており、これは、本出願と共通に所有され、その内容は参照により本明細書にそっくりそのまま組み込まれる。
【００３８】
別の変形例では、米国特許第７，２５７，４６４号に開示されているように、可変ワット数制御システムが採用され、これも本出願と共通に所有され、その内容は参照により本明細書にそっくりそのまま組み込まれる。
【００３９】
さらに別の形態では、抵抗発熱体の表面の少なくとも一部が、流体の流れの少なくとも１つの構成化合物又は成分の化学反応を促進するための触媒で被覆される。
【００４０】
別の設計では、抵抗発熱体は、所定の熱の分布を与えるように配置された複数の電気回路を形成する。
【００４１】
さらに別の形態では、露出した抵抗発熱体又はその一部は、特定の用途において所望の電気絶縁を与えるために、例えば、約０．０３０”の厚さの窒化物層などのような誘電体材料で被覆されてもよい。
【００４２】
所定の形状を有する連続抵抗発熱体の様々な形態は、本開示の範囲内であるが、全体を通して主に示されているように、流れの方向に沿う方向に向けて配置されてもよいし、流れ又は別の方向に対して横向きに配置されてもよいし、それらの組合せでもよいことを理解されたい。さらに、ここに図示され記載された様々な所定の形状は、開いた断面、閉じた断面、又はそれらの組合せを有してもよいし、及び／又は、必要な熱分布、構造強度、重量、コスト、及び／又は背圧の低減を達成する目的で、壁を貫通する開口部を含めてもよい。
【００４３】
また、「流体」は、ガス、液体、又は、プラズマを意味すると解釈されるべきであり、上記のディーゼル排気ガスの例に限定されないことも理解されるべきである。
【００４４】
本開示の説明は、事実上単に例示的なものであり、したがって、本開示の内容から逸脱しない変形は、本開示の範囲内にあるものとする。そのような変形は、本開示の精神及び範囲からの逸脱とはみなされない。
【図１】
2019510343.tif 000003
【図２】
2019510343.tif 000004
【図３】
2019510343.tif 000005
【図４】
2019510343.tif 000006
【図５】
2019510343.tif 000007
【図６】
2019510343.tif 000008
【図７】
2019510343.tif 000009
【図８】
2019510343.tif 000010
【図９】
2019510343.tif 000011
【図１０】
2019510343.tif 000012
【図１１】
2019510343.tif 000013
【図１２】
2019510343.tif 000014
【図１３】
2019510343.tif 000015
【図１４】
2019510343.tif 000016
【図１５】
2019510343.tif 000017
【図１６】
2019510343.tif 000018
【図１７】
2019510343.tif 000019
【図１８】
2019510343.tif 000020
【図１９Ａ】
2019510343.tif 000021
【図１９Ｂ】
2019510343.tif 000022
【図２０Ａ】
2019510343.tif 000023
【図２０Ｂ】
2019510343.tif 000024
【図２０Ｃ】
2019510343.tif 000025
【図２０Ｄ】
2019510343.tif 000026
【図２１Ａ】
2019510343.tif 000027
【図２１Ｂ】
2019510343.tif 000028
【図２２Ａ】
2019510343.tif 000029
【図２２Ｂ】
2019510343.tif 000030
【国際調査報告】
2019510343.tif 000031
2019510343.tif 000032
2019510343.tif 000033